【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】
【請求項１】
画像撮影装置であって、
撮影条件を入力するための入力手段と、
前記入力された撮影条件を判定する判定手段と、
前記撮影条件の判定に従い、画像を撮影する撮影手段と、
前記撮影手段により撮影された画像のデータと、該撮影された画像の撮影条件を特定するためのデータを電子メールに編集する編集手段と、
前記編集された電子メールを送信する送信手段と、
を備えることを特徴とする画像撮影装置。
【請求項２】
前記撮影条件を設定するための設定手段と、
前記設定手段により設定された撮影条件を格納するための記憶手段と、を更に備え、
前記判定手段は、該記憶手段に格納されている撮影条件と、前記入力された撮影条件と、を照合して前記撮影手段で撮影をするか否かの判定をすることを特徴とする請求項１に記載の画像撮影装置。
【請求項３】
前記判定手段は、前記入力手段に撮影条件として撮影時刻の情報が入力された場合、入力された撮影時刻の情報と、前記記憶手段に予め設定されている撮影条件とを照合し、
前記撮影手段は、前記照合が一致する場合に画像を撮影する、ことを特徴とする請求項２に記載の画像撮影装置。
【請求項４】
前記編集手段は、前記照合が一致する場合に前記撮影された画像のデータが、撮影時刻の情報に従って撮影されたことを特定するためのデータを前記電子メールの本文または表題に設定して該電子メールを編集する、ことを特徴とする請求項３に記載の画像撮影装置。
【請求項５】
前記判定手段は、前記入力手段に撮影条件として一定時間の経過を示す情報が入力された場合、該入力された情報と、前記記憶手段に予め設定されている撮影条件とを照合し、
前記撮影手段は、前記照合が一致する場合に画像を撮影する、ことを特徴とする請求項２に記載の画像撮影装置。
【請求項６】
前記編集手段は、前記照合が一致する場合に前記撮影された画像のデータが、設定した時間毎に撮影されたことを特定するためのデータを前記電子メールの本文または表題に設定して該電子メールを編集する、ことを特徴とする請求項５に記載の画像撮影装置。
【請求項７】
前記判定手段は、前記入力手段に撮影条件としてセンサーの情報が入力された場合、入力されたセンサの情報と、前記記憶手段に予め設定されている撮影条件とを照合し、
前記撮影手段は、前記照合が一致する場合に画像を撮影する、ことを特徴とする請求項２に記載の画像撮影装置。
【請求項８】
前記編集手段は、前記照合が一致する場合に前記撮影された画像のデータが、センサの情報に従って撮影されたことを特定するためのデータを前記電子メールの本文または表題に設定して該電子メールを編集する、ことを特徴とする請求項７に記載の画像撮影装置。
【請求項９】
前記判定手段は、前記入力手段に撮影条件としてマイクからの音量の情報が入力された場合、入力された音量の情報と、前記記憶手段に予め設定されている撮影条件とを照合し、
前記撮影手段は、前記照合が一致する場合に画像を撮影する、ことを特徴とする請求項２に記載の画像撮影装置。
【請求項１０】
前記編集手段は、前記照合が一致する場合に前記撮影された画像のデータが、前記マイクからの音量の情報に従って撮影されたことを特定するためのデータを前記電子メールの本文または表題に設定して該電子メールを編集する、ことを特徴とする請求項９に記載の画像撮影装置。
【請求項１１】
前記判定手段は、前記入力手段に撮影ボタンが押されたことの通知が入力された場合、前記撮影手段は、画像を撮影する、ことを特徴とする請求項１に記載の画像撮影装置。
【請求項１２】
前記入力手段に撮影ボタンが押されたことの通知が入力された場合、前記編集手段は、前記撮影された画像のデータが、該撮影ボタンが押されたことにより撮影されたことを特定するためのデータを前記電子メールの本文または表題に設定して該電子メールを編集する、ことを特徴とする請求項１または１１に記載の画像撮影装置。
【請求項１３】
収容する記録媒体に格納されている画像データを指定するファイル指定手段を更に備え、
前記編集手段は、該指定された画像データと、該画像データが前記記録媒体に格納されたことを特定するためのデータと、を電子メールで送信するために編集する、ことを特徴とする請求項１に記載の画像撮影装置。
【請求項１４】
前記編集手段は、前記画像データが前記記録媒体に格納されたことを特定するためのデータを前記電子メールの本文または表題に設定して該電子メールを編集する、ことを特徴とする請求項１３に記載の画像撮影装置。
【請求項１５】
前記撮影手段で撮影した画像データを、サーバに送信するファイル送信手段を更に有し、
前記編集手段は、前記サーバに送信した画像データを特定するためのリンクアドレスと、該画像データの撮影条件を特定するためのデータと、を電子メールに編集することを特徴とする請求項１乃至１４のいずれか１項に記載の画像撮影装置。
【請求項１６】
画像撮影装置の制御方法であって、
撮影条件を入力するための入力工程と、
前記入力された撮影条件を判定する判定工程と、
前記撮影条件の判定に従い、画像を撮影する撮影工程と、
前記撮影工程の処理により撮影された画像のデータと、該撮影された画像の撮影条件を特定するためのデータと、を電子メールに編集する編集工程と、
前記編集された電子メールを送信する送信工程と、
を備えることを特徴とする画像撮影装置の制御方法。
【請求項１７】
画像撮影装置により実行され、前記画像撮影装置を制御するための制御プログラムであって、
該制御プログラムが、
撮影条件を入力するための入力ステップと、
前記入力された撮影条件を判定する判定ステップと、
前記撮影条件の判定に従い、画像を撮影する撮影ステップと、
前記撮影ステップの処理により撮影された画像のデータと、該撮影された画像の撮影条件を特定するためのデータと、を電子メールに編集する編集ステップと、
前記編集された電子メールを送信する送信ステップと、
をコンピュータに実行させることを特徴とする制御プログラム。
【請求項１８】
画像撮影装置であって、
撮影条件を設定する設定手段と、
前記設定手段により設定された撮影条件の成立に応じて、画像を撮影する撮影手段と、
前記撮影手段により撮影を行った撮影条件を特定するためのデータを電子メールに付加して送信する送信手段と、
を備えることを特徴とする画像撮影装置。
【請求項１９】
前記送信手段は、前記撮影条件を特定するためのデータを電子メールの本文、もしくは、表題に付加して送信することを特徴とする請求項１８に記載の画像撮影装置。
【請求項２０】
前記送信手段は、前記撮影手段により撮影した画像と共に、前記電子メールを送信することを特徴とする請求項１８に記載の画像撮影装置。 
【請求項２１】
前記撮影手段により撮影した画像を所定のサーバに転送する転送手段を有し、
前記送信手段は、前記転送手段により転送した画像へのリンクアドレスと共に、前記電子メールを送信することを特徴とする請求項１８に記載の画像撮影装置。
【請求項２２】
画像撮影装置であって、
撮影条件を設定する設定手段と、
前記設定手段により設定された撮影条件の成立に応じて、画像を撮影する撮影手段と、
前記撮影手段により撮影を行った時間に関する情報を電子メールに付加して送信する送信手段と、
を備えることを特徴とする画像撮影装置。
【請求項２３】
画像撮影装置の制御方法であって、
撮影条件を設定する設定工程と、
前記設定工程において設定された撮影条件の成立に応じて、画像を撮影する撮影工程と、
前記撮影工程において撮影を行った撮影条件を特定するためのデータを電子メールに付加して送信する送信工程と、
を備えることを特徴とする画像撮影装置の制御方法。
【請求項２４】
画像撮影装置の制御方法であって、
撮影条件を設定する設定工程と、
前記設定工程において設定された撮影条件の成立に応じて、画像を撮影する撮影工程と、
前記撮影工程において撮影を行った時間に関する情報を電子メールに付加して送信する送信工程と、
を備えることを特徴とする画像撮影装置の制御方法。
【手続補正２】
【補正対象書類名】明細書
【補正対象項目名】０００１
【補正方法】変更
【補正の内容】
【０００１】
【発明の属する技術分野】
本発明は、電子メールを送信する機能を備えた画像撮影装置、画像撮影装置の制御方法、その制御プログラム、記憶媒体に関するものである。
【手続補正３】
【補正対象書類名】明細書
【補正対象項目名】００１２
【補正方法】変更
【補正の内容】
【００１２】
すなわち、画像撮影装置は、
撮影条件を入力するための入力手段と、
前記入力された撮影条件を判定する判定手段と、
前記撮影条件の判定に従い、画像を撮影する撮影手段と、
前記撮影手段により撮影された画像のデータと、該撮影された画像の撮影条件を特定するためのデータを電子メールに編集する編集手段と、
前記編集された電子メールを送信する送信手段と、
を備えることを特徴とする。
【手続補正４】
【補正対象書類名】明細書
【補正対象項目名】００１３
【補正方法】変更
【補正の内容】
【００１３】
また、画像撮影装置の制御方法は、
撮影条件を入力するための入力工程と、
前記入力された撮影条件を判定する判定工程と、
前記撮影条件の判定に従い、画像を撮影する撮影工程と、
前記撮影工程の処理により撮影された画像のデータと、該撮影された画像の撮影条件を特定するためのデータと、を電子メールに編集する編集工程と、
前記編集された電子メールを送信する送信工程と、
を備えることを特徴とする。
【手続補正５】
【補正対象書類名】明細書
【補正対象項目名】００１４
【補正方法】変更
【補正の内容】
【００１４】
また、撮影装置により実行され、前記画像撮影装置を制御するための制御プログラムであって、
該制御プログラムが、
撮影条件を入力するための入力ステップと、
前記入力された撮影条件を判定する判定ステップと、
前記撮影条件の判定に従い、画像を撮影する撮影ステップと、
前記撮影ステップの処理により撮影された画像のデータと、該撮影された画像の撮影条件を特定するためのデータと、を電子メールに編集する編集ステップと、
前記編集された電子メールを送信する送信ステップと、
をコンピュータに実行させることを特徴とする。
【手続補正６】
【補正対象書類名】明細書
【補正対象項目名】００１５
【補正方法】変更
【補正の内容】
【００１５】
また、画像撮影装置は、
撮影条件を設定する設定手段と、
前記設定手段により設定された撮影条件の成立に応じて、画像を撮影する撮影手段と、
前記撮影手段により撮影を行った撮影条件を特定するためのデータを電子メールに付加して送信する送信手段と、
を備えることを特徴とする。
【手続補正７】
【補正対象書類名】明細書
【補正対象項目名】００１６
【補正方法】変更
【補正の内容】
【００１６】
また、画像撮影装置は、
撮影条件を設定する設定手段と、
前記設定手段により設定された撮影条件の成立に応じて、画像を撮影する撮影手段と、
前記撮影手段により撮影を行った時間に関する情報を電子メールに付加して送信する送信手段と、
を備えることを特徴とする。
【手続補正８】
【補正対象書類名】明細書
【補正対象項目名】００１７
【補正方法】変更
【補正の内容】
【００１７】
また、画像撮影装置の制御方法は、
撮影条件を設定する設定工程と、
前記設定工程において設定された撮影条件の成立に応じて、画像を撮影する撮影工程と、
前記撮影工程において撮影を行った撮影条件を特定するためのデータを電子メールに付加して送信する送信工程と、
を備えることを特徴とする。
【手続補正９】
【補正対象書類名】明細書
【補正対象項目名】００１８
【補正方法】変更
【補正の内容】
【００１８】
また、画像撮影装置の制御方法は、
撮影条件を設定する設定工程と、
前記設定工程において設定された撮影条件の成立に応じて、画像を撮影する撮影工程と、
前記撮影工程において撮影を行った時間に関する情報を電子メールに付加して送信する送信工程と、
を備えることを特徴とする。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】